(57)【特許請求の範囲】
【請求項１】
口頸部２を起立する容器体１と、
上記口頸部に係合させて容器体内へ垂下させたシリンダ11と、
上記シリンダ内へ嵌合させた筒状ピストンを下部に有して、上方付勢されて起立するステム21と、
上記ステムの上端部へ嵌合させた脚筒32上端から上外方へフランジ状壁35を突出する受皿31と、
フランジ状頂板42外周部から垂設した周壁43を容器体口頸部外面へ嵌合させると共に、該フランジ状頂板のフランジ孔内に上記ステム21および脚筒32が上下動自在に挿通させた閉塞部材41とからなり、
上記フランジ状頂板42と受皿のフランジ状壁35との間隙を、上記ステムのストロークの高さとほぼ等しく形成し、又上記ステム21の上部へ嵌合させた受皿脚筒32の下部とステム21の上部とに、脚筒抜出し防止用の第２、第１係合突条38,23 を周設して、これ等第２、第１両係合突条間を、ステムに対する脚筒32の上下動用間隙とした
ことを特徴とする液溜め受皿付き縦形ポンプ。
【請求項２】
上記脚筒32を複数筒体嵌合により伸縮自在に形成して最内方向筒体をステム21の上部外面へ嵌合させると共に、複数筒体のうち、内方に位置する筒体の上部外面と外方に位置する筒体の下部内面とに、外方に位置する筒体抜止め用の、上方係合突条39と下方係合突条40とを、それぞれ周設してそれ等上下両係合突条39,40 間を、内方に位置する筒体に対する外方筒体の上下動用間隙とした
ことを特徴とする、請求項１記載の液溜め受皿付き縦形ポンプ。
【発明の詳細な説明】
【０００１】
【発明の属する技術分野】
本発明は液溜め用受皿付きの縦形ポンプ容器に関する。
【０００２】
【従来の技術】
例えば特開2000-84446号が示すように泡溜め用受皿付きの縦形ポンプ容器が知られている。該容器は縦形ポンプ容器のステム上部外面へ、上端部を受皿として外向きフランジ状に上外方へ拡開させた管状プランジャを嵌合させて、該プランジャをステムと共に縦形ポンプのシリンダに対して、上下動させることで、容器体内液体がステムおよび管状プランジャ内を通って、
又それ等内面に設けたネットを通って受皿内へ泡となって溜まり、該泡を使用できるよう設けている。
【０００３】
【発明が解決しようとする課題】
上記容器は、ステム上端部に管状プランジャを嵌合させるため、該管状プランジャ上端の受皿が容器体上方へ高く突出することとなり、よって全体が高く嵩ばることとなり、従って外見も損なうこととなるものであった。
【０００４】
上記欠点を除去するためには、
上記ステムを挿通させて容器体口頸部の上面を閉塞する、閉塞部材のフランジ状頂板と、受皿が有する外向きフランジ状壁部分との間隙がステム上下動のストロークとほぼ等しくなる程度に狭めればよいが、このようにすると受皿内から溢れた液体が受皿の下面および上記フランジ状頂板上面へ付着した際、上記間隙が挾いことでその拭き取りが面倒となる欠点を生ずることとなった。
【０００５】
本発明は、上記ステム上部に対して受皿を引上げ、フランジ状頂板と受皿の外向きフランジ状壁との間隙を拡げて汚れの拭取り等を行い、その後再び受皿を元の位置まで下降させることが可能に設けたものである。
【０００６】
【課題を解決するための手段】
第１の手段として口頸部２を起立する容器体１と、
上記口頸部に係合させて容器体内へ垂下させたシリンダ11と、
上記シリンダ内へ嵌合させた筒状ピストンを下部に有して、上方付勢されて起立するステム21と、
上記ステムの上端部へ嵌合させた脚筒32上端から上外方へフランジ状壁35を突出する受皿31と、
フランジ状頂板42外周部から垂設した周壁43を容器体口頸部外面へ嵌合させると共に、該フランジ状頂板のフランジ孔内に上記ステム21および脚筒32が上下動自在に挿通させた閉塞部材41とからなり、
上記フランジ状頂板42と受皿のフランジ状壁35との間隙を、上記ステムのストロークの高さとほぼ等しく形成し、又上記ステム21の上部へ嵌合させた受皿脚筒32の下部とステム21の上部とに、脚筒抜出し防止用の第２、第１係合突条38,23 を周設して、これ等第２、第１両係合突条間を、ステムに対する脚筒32の上下動用間隙とした。
【０００７】
第２の手段として、上記第１の手段を有すると共に上記脚筒32を複数筒体嵌合により伸縮自在に形成して最内方向筒体をステム21の上部外面へ嵌合させると共に、複数筒体のうち、内方に位置する筒体の上部外面と外方に位置する筒体の下部内面とに、外方に位置する筒体抜止め用の、上方係合突条39と下方係合突条40とを、それぞれ周設してそれ等上下両係合突条39,40 間を、内方に位置する筒体に対する外方筒体の上下動用間隙とした。
【０００８】
【発明の実施の形態】
以下図について説明すると、１は胴部上端から肩部を介して口頸部２を起立する容器体である。その口頸部外面には雄ねじを付設している。
【０００９】
11は、後述のステムと共に公知の縦形ポンプを形成するシリンダで上記口頸部の上面へ、上端部に付設した外向きフランジ12を係合させて容器体内へ垂下する。該シリンダ上部は、外方拡開壁13を介して上外方へテーパ筒14を起立し、該テーパ筒上端に上記外向きフランジ12を付設している。又そのシリンダ下端からは吸上げパイプ15を垂下している。
【００１０】
21は上記シリンダ内へ嵌合させた筒状ピストンを下部に有するステムで、該ステムはコイルスプリングにより上方付勢されて起立する。ステム上部は小外径部22とし、該小外径部の上部外面に第１係合突条23を周設している。尚既述外方拡開壁13内方のシリンダ部分内面へはステム抜止め筒24を嵌合させている。
【００１１】
上記ステムの上部外面へは受皿31の脚筒32を嵌合させている。図示例において受皿は、脚筒32を内筒33と外筒34とで形成しており、外筒上端から上外方へ上面を凹面とするフランジ状壁35を突出し、又そのフランジ状壁内周を外筒34上端内方へ内向きフランジ状に延長し、該延長壁部内周から有頂の短筒36を起立してその上板に液体流出孔37を穿設している。内筒33は上部外面に、又外筒34は下部内面に、それぞれ上方係合突条39と下方係合突条40とを周設しており、それ等上下両係合突条の係合によって、図２が示すように外筒34下部からの内筒33の下方抜出しが不能に形成している。又内筒33は下部内面に第２係合突条38を周設しており、図３が示すようにフランジ状壁35および外筒34を介して内筒33を引上げたとき、既述ステム上部の第１係合突条23下面へ第２係合突条38が係合して、ステム21からの受皿脚筒32の抜出しを防止可能に設けている。
【００１２】
図示例にあっては脚筒32を内筒と外筒とで形成したが、更に内筒を複数とすることも可能であり、又脚筒を単数の筒体で形成して該筒体を直接ステム21の上部外面へ嵌合させてもよい。この場合はその筒体の下部内面に第２係合突条を周設し、その筒体上端から上記フランジ状壁35を突出し、又その筒体上端内周から有頂の短筒36を起立させることとなる。
【００１３】
図１のように、ステム21に対して受皿のフランジ状壁35を引上げない状態において、そのフランジ状壁35と後述の閉塞部材のフランジ状頂板42との間隙は、ステム21の、従ってステム下方の筒状ピストンのストロークとほぼ同一高さとしており、このようにすることで閉塞部材上面からの受皿31の上方突出高さを最小限度としている。
【００１４】
41は閉塞部材で、上面凹状に設けたフランジ状頂板42外周近くから垂設した周壁43を容器体口頸部２外面へ螺合させると共に外周からはキャップ嵌合用筒44を垂下し、又フランジ状頂板42内周で、既述受皿の脚筒32を入れ出しするための小筒44を吊下げ、又該小筒下端に内向きフランジを付設して該フランジのフランジ孔内にステム21を上下動可能に挿通させている。
【００１５】
尚既述小筒44は必ずしも必要ではなく、省略する場合はフランジ状頂板42のフランジ孔内にステムを挿通させ、受皿脚筒32がそのフランジ孔内を上下動可能とすればよい。
【００１６】
51はキャップで必要により設ければよく、図示例では、既述閉塞部材のキャップ嵌合用筒44外面へ下半筒部52を嵌合させ、該下半筒部上へ有頂の上半筒部53を載置させて、それ等下半筒部と上半筒部53とを公知の三点ヒンジ機構54で連結して、下半筒部に対して上半筒部53が弾性反転により開閉可能に設けている。
【００１７】
上記容器の使用は次のように行うことが出来る。まずキャップ51の上半筒部53を開蓋させた後、受皿31を押下げすると、ステム21下方の筒状ピストンがシリンダ内を下降することで、該ステム内に設けた吐出弁を通ってシリンダ内液体がステム内を通り、更に液体流出孔37を通って受皿31のフランジ状壁35内へ入る。受皿内に適量の液体が入ったとき、受皿を離せば筒状ピストン付きのステム21と共に受皿は上昇し、このとき上記吐出弁は閉じ、又シリンダ下端部内の吸込み弁は開いて、筒状ピストン上昇によるシリンダ11内の負圧化で吸上げパイプ15内を通って容器体内液体がシリンダ11内へ吸込まれる。
【００１８】
上記受皿内へ入った液体が、使用時に溢れて閉塞部材41のフランジ状頂板42上面を汚す等すれば、図２および図３が示すように受皿のフランジ状壁35を上方へ引上げて閉塞部材のフランジ状頂板42上面と上記フランジ状壁35との間隙を拡げ、該状態で汚れ等を拭き取りし、該拭き取り後に再び受皿のフランジ状壁35を押下げ、始めの位置へ戻せばよい。尚既述従来例のように注出液体を泡としてもよく、この場合はステム内の適所にネットを設ければよい。
【００１９】
【発明の効果】
本発明は既述構成としたから、請求項１記載のように閉塞部材のフランジ状頂板42と受皿のフランジ状壁35との間隙をステム21のストロークの高さとほぼ等しくすることで、容器体口頸部の上面を閉塞する閉塞部材41上面からの受皿31の突出高さを最小限として容器全体の高さを低くしてコンパクト化することが出来ると共に、このようにその高さを低くすると、閉塞部材のフランジ状頂板42と受皿のフランジ状壁35との間隙が狭くなって、フランジ状頂板42上面等に付着した汚れを拭き取ることが困難となるが、本発明ではステム21の上部へ嵌合させた受皿31の脚筒32を、ステム上部に対して上下動可能としたから、受皿引上げによって上記間隙を拡げて汚れ等の拭き取りが出来、その拭き取り後は再び脚筒を押下げて使用することが出来る。
【００２０】
請求項２記載のように形成しても、同様に閉塞部材のフランジ状頂板42上面の拭き取り等が容易となる。
【図面の簡単な説明】
【図１】    本発明容器の断面図である。
【図２】    図１の状態から受皿を半ば引上げた状態で示す、要部の半断面図である。
【図３】    図２の状態から受皿を上限まで引上げた状態で示す半断面図である。
【符号の説明】
11…シリンダ                  21…ステム
23…第１係合突条              31…受皿
32…脚筒                      35…フランジ状壁
38…第２係合突条              39…上方係合突条
40…下方係合突条              41…閉塞部材
42…フランジ状頂板
【図１】
0004175494.tif 000002
【図２】
0004175494.tif 000003
【図３】
0004175494.tif 000004